(57)【特許請求の範囲】
【請求項１】
机の左右に位置して左右の脚部を有し、前記左右の脚部に夫々側板を配置するとともに、該左右の側板に夫々複数の取付穴を上下方向に所定の間隔を有して形成し、この取付穴を選択して左右の側板を、これら側板相互において夫々独立して上下方向に変位できるように左右の脚部に取外し可能に取付け、天板を、前記左右の側板に形成した前記取付穴を選択して前記左右の側板に対して上下方向に変位可能に備えたことを特徴とする机。
【発明の詳細な説明】
【技術分野】
【０００１】
本発明は机に関する。
【背景技術】
【０００２】
従来、学習机において、天板を上下方向に段階的に変位できるようにしたものが知られている（特許文献１参照）。
【特許文献１】特開２０００−２６２３３１号公報
【発明の開示】
【発明が解決しようとする課題】
【０００３】
ところで、学童において、身長が小さい時期は、学習時にも落ち着きがなく、周囲に気を取られがちなため、机の天板の周囲にパーティションがあることで、周囲に気を取られず集中して学習できるようになる。逆に成長して、小学校高学年や、中高生になると机の高さは、標準的な高さかそれに近い高さが適当になるが、身体も大きくなり、学習資料も増えるので、パーティションがあると机上に狭さを感じるようになる。そのため、天板が標準的な高さやそれに近い高さで使用できるようになった時は、パーティションの必要性がなくなる。また、パーティション自体が、あまり高いと、机の勉強部屋で占める体積が大きくなり、部屋をせまく感じたり、机上が暗くなり、学習環境が悪くなる。
【０００４】
そのため、学童の成長に合った天板の位置とパーティションの位置が望まれる。
しかし、前記従来のように、天板の高さのみを変化できるようにしたものにおいては、前記の要請に応えることができない。
【０００５】
そこで本発明は、天板とパーティション（側板）を夫々の高さが変化できるようにして、使用者の身長に合せて天板の高さを変化でき、かつ、このように天板の高さを変化させた場合にもパーティション（側板）の要、不要及び所望の高さに対応できる机を提供することを目的とするものである。
【課題を解決するための手段】
【０００６】
前記の課題を解決するために、請求項１記載の第１の発明は、机の左右に位置して左右の脚部を有し、前記左右の脚部に夫々側板を配置するとともに、該左右の側板に夫々複数の取付穴を上下方向に所定の間隔を有して形成し、この取付穴を選択して左右の側板を、これら側板相互において夫々独立して上下方向に変位できるように左右の脚部に取外し可能に取付け、天板を、前記左右の側板に形成した前記取付穴を選択して前記左右の側板に対して上下方向に変位可能に備えたものである。
【発明の効果】
【００１２】
本発明によれば、天板と側板とを夫々上下方向に変位可能に備えたので、使用者の身長に合せて天板の高さを変化でき、かつ、このように天板の高さを変化させた場合にも側板を天板より上方へ突出させてパーティションとしたり、このパーティションが不要な場合には側板を天板より突出しないように下降することができる。そのため、天板の高さの変更と側板の高さの変更の組合せにより、使用者に適した種々の形態に変形することができる。
【００１３】
更に、脚部が側板の取付部材となり、該側板が天板の取付部材となるため、各部材が他の部材の保持機能を兼用し、部品の低減を図ることができる。
【発明を実施するための最良の形態】
【００１６】
本発明を実施するための最良の形態を図に基づいて説明する。
なお、本発明の机に対する着席側を前側とし、この前側から見た左右方向を左右方向とする。
【００１７】
図において、机の本体１を構成する左前脚２と左後脚３は、その下部において左下枠４により連結され、上部において左上枠５により連結されている。これらにより左脚部を構成している。また、机の本体１を構成する右前脚６と右後脚７は、その下部において右下枠８により連結され、上部において右上枠９により連結されている。これらにより右脚部を構成している。更に、前記左上枠５と右上枠９には、内外方向に貫通する取付穴が、上下に所定の間隔を有して２個形成され、これらにナット（取付具）１０，１１が設けられている。該ナット１０，１１は、左上枠５の前側と後側及び右上枠９の前側と後側に位置して形成されている。前記ナット１０，１１間の間隔をＤとする。また、このナット１０，１１は，袋状のナットで形成されている。
【００１８】
なお、前脚２，６及び左右の上枠５，９の上端（高さ）は、後述する天板の最下降に支障とならない高さに設定されている。
【００１９】
前記両後脚３，７の上部間には上背板１２が固定されて立設されている。該上背板１２は、後述する天板を最下降させる位置から最上昇させる位置に亘る高さに設定されている。該上背板１２には、その前後方向（表裏方向）に貫通する取付穴１３が複数、上下方向に前記間隔Ｄと同間隔で形成されている。図の実施例では上下方向に５個形成され、かつ、上背板１２の左右に位置して２列形成されている。
【００２０】
前記両後脚３，７の下部間には下背板１４が固定して架設されている。該下背板１４には前後方向（表裏方向）に貫通する取付穴１５が複数、上下方向に前記間隔Ｄと同間隔で形成されている。図の実施例では上下方向に２個形成されている。
【００２１】
前記の部品は一体に連結され本体１を構成しており、この本体１を不動のものとしてこれらに後述する両側板、天板、仕切板を変位可能に取付けるようになっている。
【００２２】
前記左右の脚部の外側には、側板１６，１７が配置されている。
左側板１６は、その前後方向と上下方向の長さを所定に設定するもので、図の実施例では、その前後方向の長さが、前記左前脚２の前端から左後脚３の前端までの長さに設定され、上下方向の長さが、前記左下枠４の上端から、後述する天板を最下降した場合におけるその天板の上面までの長さに設定されている。
【００２３】
右側板１７も前記左側板１６と同等の大きさに形成されている。
前記左右からなる一対の側板１６，１７には左右方向（表裏方向）に貫通する取付穴１８が複数、上下方向に前記間隔Ｄと同間隔で形成されている。図の実施例では、上下方向に７個形成されている。また、この取付穴１８は夫々の側板１６，１７の前側と後側に位置して、すなわち、前記左右の上枠５，９における前後のナット１０，１１の列と同位置に２列形成されている。
【００２４】
前記両側板１６，１７の夫々の内面には、天板支承部材１９が備えられている。該天板支承部材１９は、側板１６，１７に取付けでき、かつ、天板を支承できるものであればよい。実施例では角棒状の棧で形成されて、前後方向にかつ、水平に備えられている。該天板支承部材１９には、左右方向に貫通する取付穴が形成され、これにナット２０が設けられている。このナット２０を前記側板１６，１７に形成した上下方向の所望の位置の取付穴１８と合致させて、取付穴１８にボルト３８を挿通してナット２０に締付けることにより、天板支承部材１９を側板１６，１７の内側において取外し可能に取付けるようになっている。該天板支承部材１９には上下方向に貫通する取付穴２２が形成されている。
【００２５】
天板２１は、その前後方向の長さが前記両側板１６，１７の前後方向の長さと略同等に設定され、その左右方向の長さが、前記両側板１６，１７を左右の脚２及び６の外側に取付けた場合におけるこれら両側板１６，１７間に嵌合する寸法、すなわち、両側板１６，１７間の内のり寸法と略同等に設定されて形成されている。したがって、天板２１の左右端部の下面が前記天板支承部材１９上に載置するようになっている。該天板支承部材１９上に載置する天板２１の下面には前記取付穴２２に位置してナット２３が設けられている。
【００２６】
前記上背板１２の内面には、天板支承部材２５が備えられている。該天板支承部材２５は、上背板１２に取付けられ、かつ、天板を支承するものであればよい。実施例では角棒状の棧で形成されて、左右方向にかつ、水平に備えられている。該天板支承部材２５には、前後方向に貫通する取付穴を設け、該取付穴にナット２６が設けられている。該ナット２６を前記上背板１２に形成した上下方向の所望の位置の取付穴１３とを合致させて、この取付穴１３にボルト２７を挿通してナット２６に螺着することにより天板支承部材２５を上背板１２に取付けるようになっている。該天板支承部材２５には上下方向の取付穴２８が形成されている。
【００２７】
前記天板２１の後部下面には、前記取付穴２８に対応するナット２９が設けられている。そして、取付穴２８を通じてボルト３５をナット２９に螺着することにより、天板２１を天板支承部材２５に固着するようになっている。
【００２８】
前記天板２１の下側には引出し３０が設けられている。
前記上背板１２又は下背板１４には本立て用の仕切板３１を取外し可能に取付けるようになっている。該仕切り板３１は長方形に形成され、その長辺側である後面には、取付手段であるナット３２が上下に位置して２個埋設されており、この２個のナット３２の上下方向の間隔は前記間隔Ｄと同等に設定されている。また、該仕切板３１の短辺側である下面には、取付手段であるナット３２ａが水平方向に２個埋設されており、この２個のナット３２ａの水平方向の間隔は前記間隔Ｄと同等に設定されている。該仕切板３１は２枚用意されている。
【００２９】
前記下背板１４の下部には、棚板３３が前記左右の下枠４，８に固定して架設されている。
【００３０】
以上の構成により、各側板１６，１７を前記脚部の外側に位置させて、その取付穴１８における上方に位置する取付穴１８を上枠５，９のナット１０，１１に合致させて、この取付穴１８にボルト３４を挿通してナット１０，１１に締め付けることにより、各側板１６，１７を下降させた位置に取付けることができ、また、下方に位置する取付穴１８を上枠５，９のナット１０，１１に合致させて、この取付穴１８にボルト３４を挿通してナット１０，１１に締め付けることにより、各側板１６，１７を上昇させた位置に取付けることができる。なお、このボルトとナットにより取付手段を構成する。
【００３１】
また、このような両側板１６，１７の上下方向の変位は、両側枠１６，１７を夫々別々に独立して行なえる。
【００３２】
したがって、各側板１６，１７を、取付穴１８の選択により所望の高さ（位置）に変更して配置することができ、かつ、この変更は各側板１６，１７毎に独立して行える。
【００３３】
また、天板支承部材１９に設けたナット２０を、側板１６，１７における上方の取付穴１８に合致させて、これにボルト３８を挿通してナット２０に螺着することにより、天板支承部材１９を上方の位置に取付けることができ、また、天板支承部材１９のナット２０を、側板１６，１７における下方の取付穴１８に合致させて、この取付穴１８にボルト３８を挿通してナット２０に螺着することにより、天板支承部材１９を下方の位置に取付けることができる。  
【００３４】
また、天板支承部材２５に設けたナット２６を、上背板１２における上方の取付穴１３に合致させて、これにボルト２７を挿通してナット２６に螺着することにより、天板支承部材２５を上方の位置に取付けることができ、また、天板支承部材２５のナット２６を、上背板１２における下方の取付穴１３に合致させて、この取付穴１３にボルト２７を挿通してナット２６に螺着することにより、天板支承部材２５を下方の位置に取付けることができる。
【００３５】
したがって、側板１６，１７の取付穴１８及び上背板１２の取付穴１３を選択することにより、天板支承部材１９及び２５を所望の高さ（位置）に変更して配置することができる。
【００３６】
したがって、天板２１の高さの変更時には、天板支承部材１９の高さ（位置）を各側板１６，１７の位置において変更し、また、天板支承部材２５の高さ（位置）を上背板１２の位置において変更し、これらの天板支承部材１９，２５に天板２１を載置することで天板２１の高さを変更することができる。
【００３７】
また、仕切板３１の長辺側のナット３２を上背板１２の取付穴１３又は下背板１４の取付穴１５に合致させてボルト３６により取付けることにより、仕切板３１が図に示すように縦長状態に設置でき、また、仕切板３１の短辺側のナット３２ａを上背板１２の取付穴１３又は下背板１４の取付穴１５に合致させてボルト３６により取付けることにより、仕切板３１を横長状態に設置できる。
【００３８】
次に、前記実施例の机の使用形態の例について説明する。
図２乃至図６に示す第１の形態は、両側板１６，１７の下から、１段目と２段目の取付穴１８，１８を両上枠５，９のナット１０，１１に合致させ、この取付穴１８，１８にボルト３４を挿入してナット１０，１１に締付け、両側板１６，１７を最上段に配置している。
【００３９】
また、天板支承部材１９を、両側板１６，１７の下から４段目の取付穴１８にボルト３８を挿通し、ナット２０に螺着して両側板１６，１７の内面に取付ける。
【００４０】
また、天板支承部材２５のナット２６を、上背板１２の取付穴１３における下から２段目の取付穴１３に合致させ、その取付穴１３にボルト２７を挿通してナット２６に螺着し、天板支承部材２５を上背板１２の内面に取付ける。
【００４１】
そして、天板２１を、前記３個の天板支承部材１９，１９，２５上に載置し、該天板支承部材１９，１９，２５に形成した取付穴２２，２８に下からボルト３５を挿通し、天板２１側の下面側のナット２３、２９に螺着し、天板２１を各天板支承部材１９，１９，２５に固着する。
【００４２】
仕切板３１は、下背板１４の取付穴１５にボルト３６を挿通し仕切板３１のナット３２に螺着して下背板１４に取付けられている。
【００４３】
この形態は、天板２１が、中間の高さに配置され、両側板１６，１７により天板２１の上部両側に間仕切り（パーティション）が形成され、天板２１の後側に上背板１２からなる間仕切り（パーティション）が形成される。
【００４４】
図７は第２の使用形態を示すもので、前記第１の使用形態から、左側板１６を、その上端が前記天板２１の上面と同一面になるように中段位置に配置したものである。右側板１７は前記の第１の使用形態と同じ位置に配置されている。また、仕切板３１は下背板１４から外し、上背板１２に取付穴１３を介してボルトにより取付けられている。
【００４５】
この形態にするには、左側板１６の上から３段目と４段目の取付穴１８と左上枠５の２つのナット１０，１１とを合致させて、左側板１６を左上枠５に取付ける。また、天板支承部材１９は最上段の取付穴１８に取付けられて天板２１を支承している。
【００４６】
この形態は、天板２１の片側と後側に間仕切り（パーティション）を設けた形態になっている。
【００４７】
図８は第３の使用形態を示すもので、両側板１６，１７と天板２１を最上段にしたものである。
【００４８】
この形態にするには、両側板１６，１７を前記第１の形態と同様に最上段に配置し、天板２１も最上段としたものである。
【００４９】
天板２１は、後部の天板支承部材２５を上背板１２の取付穴１３における最上段の取付穴１３を用いて取付け、天板支承部材１９を両側板１６，１７の最上段の取付穴１８を用いて両側板１６，１７に取付け、こられの天板支承部材１９、２５に天板２１を載置するとともに前記のようにボルト３５により固定する。
【００５０】
また、仕切板３１は、上背板１２から取外して、下背板１４の取付穴１５を用いて下背板１４に取付ける。
【００５１】
この形態では、天板２１が最上段に位置し、天板２１の上部の周囲には間仕切り（パーティション）が設けられていない形態である。
【００５２】
図９は、第４の使用形態を示すもので、両側板１６，１７を最下段に配置し、天板２１も最下段に配置したものである。
【００５３】
この形態にするには、両側板１６，１７の上から２段目と３段目の取付穴１８，１８を上枠５，９のナット１０，１１に合致させて両側板１６，１７を取付け、天板支承部材２５を上背板１２の最下段の取付穴１３を用いて取付け、更に天板支承部材１９を両側枠１６，１７における最上段の取付穴１８を用いて取付ける。そして、該各天板支承部材１９，２５上に天板２１を載置し、ボルト３５により固定する。
【００５４】
この状態では、天板２１が最下段に位置し、両側板１６，１７も最下段に位置し、天板２１の上部の両側には間仕切り（パーティション）が設けられていない形態になる。仕切板３１は上背板１２に取付けられている。
【００５５】
なお、前記の仕切板３１は、上背板１２に取付け可能な形態では、上背板１２又は下背板１４のいずれかに取付けてもよく、上背板１２に取付けできない場合には下背板１４に付替えて利用する。
【００５６】
前記両側板１６，１７及び天板２１は夫々単独で高さを変化できるため、夫々の高さを変化させて組合わせることにより、前記の使用形態以外の所望の形態に変化させることもできる。
【００５７】
以上のようであるから、身長の低い学童で、低い椅子を用いて足を床に付けて学習する場合には、天板２１を低い高さに配置し、また、学童の成長により天板２１を高くした場合には、天板２１を所望の高さに上げて配置することができる。
【００５８】
また、天板の上部の側部に間仕切り（パーティション）を起立配置して、落ち付きと集中力を高めたい場合には、両側板１６，１７の一方或いは双方を高くして天板２１上に突出させ、間仕切り（パーティション）の役割をもたせることができる。また、間仕切り（パーティション）が不要な場合は側板１６，１７を天板２１よりも下降させる。
【００５９】
また、両側板１６，１７は、机の脚部構成体としての機能と、間仕切りの機能を共有する。
【００６０】
また、両脚部に両側板１６，１７を支持させ、両側板１６，１７に天板２１を支持させるため、これらの支持と昇降機能に必要な部品点数を少なく構成することができ、更に、机の構造を機能的にすることができる。
【００６１】
また、天板支承部材１９．２５を前記実施例のように、前後方向に長い棧で形成することにより、天板２１を広い面で安定して支持できる。
【００６２】
更に、前記のように両側板１６，１７と脚部と天板２１を組付けることにより、これらが一体化し、強固な机に形成され、脚部を両側板１６，１７が保護及び被覆する状態となるので、見栄えを良くすることができる。
【００６３】
更に、机の組付け時には、両側板１６，１７に天板支承部材１９を取付け、その後に両側板１６，１７を脚部に取付け、その後に天板２１を天板支承部材１９上に載置して固定することにより、その組付けが容易に行なえる。
【図面の簡単な説明】
【００６４】
【図１】本発明の実施例を示す机の部品を分解した斜視図。
【図２】本発明の机の正面図。
【図３】図２の左側面図。
【図４】図２におけるＡ−Ａ線断面図。
【図５】図３におけるＢ−Ｂ線断面図。
【図６】本発明の机の他の使用形態を示す斜視図。
【図７】本発明の机の更に他の使用形態を示す斜視図。
【図８】本発明の机の更に他の使用形態を示す斜視図。
【図９】本発明の机の更に他の使用形態を示す斜視図。
【符号の説明】
【００６５】
２，３，６，７  脚
５，９      上枠
１０，１１  ナット
１２        上背板
１３，１８  取付穴
１６，１７  側板
１９，２５  天板支承部材
２１        天板
【図１】
0004764122.tif 000002
【図２】
0004764122.tif 000003
【図３】
0004764122.tif 000004
【図４】
0004764122.tif 000005
【図５】
0004764122.tif 000006
【図６】
0004764122.tif 000007
【図７】
0004764122.tif 000008
【図８】
0004764122.tif 000009
【図９】
0004764122.tif 000010